(57)【要約】【課題】  地震時の垂れ壁や腰壁や袖壁などの非構造壁による柱や梁などの構造骨組みの剪断破壊や脆性破壊を防止し、耐火性、圧縮性（変形可能巾、変形復帰性）、層間変形・水密性を確保し、取り付けに際する補強材や固定金物を必要としなく、施工性と品質の良い耐震スリット材を提供する。【解決手段】目地型枠でスリット部を設け、このスリット部にスリット材を挿入して耐震スリットとすることで、コンクリートに打ち込む際に必要な補強材や固定金物を必要としなく、スリット材の要求性能を耐火性、圧縮性（変形可能巾、変形復帰性）、層間変形・水密性に絞り込み、この要求性能を耐火性を確保する耐火材と圧縮性（変形可能巾、変形復帰性）を確保する板バネもしくは弾性体と層間変形・水密性を確保する弾性シーリング材との組合せとすることで、施工性と品質の良い後施工耐震スリット材を提供することを目的とする。【選択図】図１
2005307469.tif 000002
【特許請求の範囲】
【請求項１】
断面略凸形の先端部（１）を支点とする板バネ（２）の両自由端の其々に帯状体の耐火材（３）の其々の側縁を固定してスリット部（４）に挿入し、先端部（１）の前面若しくは先端部（１）に取り付けた条片（１９）の前面を壁面（１０）と同面に取り付け、該先端部（１）若しくは条片（１９）とスリット部（４）の間に弾性シーリング材（５）を充填することを特徴とする後施工耐震スリット材（６）。
【請求項２】
断面Ｉ字状の芯材（１１）の両側面に其々弾性体（１２）を取り付け、後端部（１３）に帯状体の耐火材（３）を断面Ｕ字状に固定してスリット部（４）に挿入し、芯材（１１）の前端部（１４）の前面を壁面（１０）と同面に取り付け、該前端部（１４）とスリット部（４）の間に弾性シーリング材（５）を充填することを特徴とする後施工耐震スリット材（６）。
【発明の詳細な説明】
【技術分野】
【０００１】
コンクリート造の建築物の垂れ壁や腰壁や袖壁などの非構造壁と柱や梁などの構造骨組みとの間に設けられ、地震時の非構造壁による構造骨組の剪断破壊や脆性破壊を防止するために設けられる耐震スリット材に関する。
【背景技術】
【０００２】
耐震スリットは、腰壁や袖壁や垂壁などの非構造壁と柱や梁などの構造骨組みとの接合部に設けられ、地震時の非構造壁による構造骨組みの剪断破壊や脆性破壊を防止するために、設けられるもので巾は１／１００の層間変形角に追従可能な寸法を確保するため、通常２５ｍｍ〜５０ｍｍで、コンクリートの壁に、この巾の狭いスリット部を設けることが難しく、そのため従来の耐震スリット材は型枠組み立て時にスリット材を型枠に取り付けてコンクリートに打ち込んで取り付けている。そのため、耐震スリット材に求められる要求性能である耐火性、圧縮性（変形可能巾、変形復帰性）、層間変形・水密性に加えて、コンクリートの打設時の側圧に耐える強度が必要となり、この強度と相反する圧縮性（変形可能巾、変形復帰性）の性能とを同時に確保し、さらに固定するための金物や真直ぐ取り付けるための補強材が必要となり、高価なものになり、その上取り付けに手間が掛かり、スリット材が曲がって取り付くなど施工管理が難しい物で、また止水の為シーリングを施すが、シーリングの巾が２５ｍｍを超えると見栄えも悪い上にシーリングの施工管理が難しいく品質の確保も難しい。この耐震スリットの材料や構造などが多数提案されている。
【０００３】
壁の全断面を縁切りする場合の耐震スリットの提案の１例として、実願昭５６−１３８１６９号開示の構造物の耐震構造は、長尺状の弾性スリット本体の長片側両端縁に沿って係合する凹溝を有する支持片と、前記弾性スリット本体の短片方向に向って両側面近傍に配置する数本の支持ボルトで固定することを特徴とする構造用スリット材である。
【０００４】
実願平１−６７７２８号開示のコンクリート壁体のスリット目地材はポリエチレン独立発泡体あるいはグラスウールなどの目地材の１側面にその側面の長手方向に沿って少なくとも一本の鉤形の係合溝部を一体的に形成した基板を添設し、一端に係合片を設けると共に腕部の所要間隔位置にセパレータ取り付け孔を形成した支持体を、前記基板の鉤形の係合溝部に沿って着脱可能に係合してなるものである。
【０００５】
特願平９−２１３０１６号開示の貫通スリット形成部材はスリット材を第１スリットと第２スリットとし、夫々がさらに接近し得る動作範囲を残した状態で、セパレータを挿通させ、貫通スリットの厚み方向に移動不可能な状態としつつ型枠に仮固定し、コンクリート硬化後セパレータを除去した後には、地震等の外力が加わった際には相対移動可能である貫通スリット形成部材である。
【特許文献１】実願昭５６−１３８１６９号
【特許文献２】実願平１−６７７２８号
【特許文献３】特願平９−２１３０１６号
【発明の開示】
【発明が解決しようとする課題】
【０００６】
耐震スリット材には、耐火性と圧縮性（変形可能巾、変形復帰性）と層間変形・水密性が求められ、しかもコンクリートの打設時の側圧に耐える強度がなければならない。ポリエチレン独立発泡体あるいはグラスウールなどを目地材として使用されているものにあっては、コンクリートの打設時の側圧に耐える強度を得るためスリット本体に係合する支持片と両側面近傍に配置した支持ボルトで支持固定しなければならず、また支持片とコンクリートの間からの漏水の恐れがある。
【０００７】
スリット目地材をポリエチレン独立発泡体あるいはグラスウールなどの目地材とし、１側面にその側面の長手方向に沿って少なくとも一本の鉤形の係合溝部を一体的に形成した基板を添設したものにあっては、基板に係合した支持体をセパレータに取り付けて固定するが、型枠の内側に取り付ける目地棒と目地材の位置合わせが難しく、取り付けに手間が掛かり、また目地材の強度を確保するための基板を添接し、固定のための支持体を設ける構成なので、スリット材が高価なものになり、取り付けに手間がかかるものとなった。
【０００８】
スリット材を第１スリットと第２スリットとし、夫々がさらに接近し得る動作範囲を残した状態で、セパレータを挿通させるものにあっては、スリット材をセパレータに固定するため、第１スリットと第２スリットに設けた夫々の挿通孔と型枠に取り付けたセパレータの位置合をわせをしなければならず、また返しの型枠を組み立てる際には、見えない状態での位置合わせとなり、取り付けに手間の掛かり、またスリット材が二つの部材の組合せなので高価なものになる。
【０００９】
以上、鑑みて本発明は、上記目的を達成するため、本願出願人の発明にかかる特許第３２５２５７１号のペーパコアパネル製の目地型枠でスリット部を設け、このスリット部にスリット材を挿入して耐震スリットとすることで、スリット材の要求性能を耐火性、圧縮性（変形可能巾、変形復帰性）、層間変形・水密性に絞り込み、しかもコンクリートに打ち込む際に必要な補強材や固定金物を必要としなく、施工性と品質の良い耐震スリット材を提供することを目的とする。
【課題を解決するための手段】
【００１０】
請求項１の発明は、目地型枠の取り付け、取り外しで設けたスリット部４に断面略凸形の先端部１を支点とする板バネ２の両自由端の其々に帯状体の耐火材３の其々の側縁を固定してスリット部に挿入し、先端部１の前面若しくは先端部１に取り付けた条片１９の前面を壁面１０と同面に取り付け、該先端部１若しくは条片１９とスリット部４の間に弾性シーリング材５を充填することを特徴とする後施工耐震スリット材６である。
【００１１】
請求項２の発明は、目地型枠の取り付け、取り外しで設けたスリット部４に断面Ｉ字状の芯材１１の両側面に其々弾性体１２を取り付け、後端部１３に帯状体の耐火材３を断面Ｕ字状に固定してスリット部４に挿入し、芯材１１の前端部１４の前面を壁面１０と同面に取り付け、前端部１４とスリット部４の間に弾性シーリング材５を充填することを特徴とする後施工耐震スリット材６である。
【発明の効果】
【００１２】
目地型枠でスリット部４を設け、このスリット部４にスリット材を挿入して耐震スリットとすることで、所謂後施工耐震スリット材６とすることで、スリット材の要求性能を耐火性、圧縮性（変形可能巾、変形復帰性）、層間変形・水密性に絞り込み、しかもコンクリートに打ち込む際に必要な補強材や固定金物を必要としない耐震スリット材とすることができる効果がある。
【００１３】
耐震スリット材を耐火性を確保する耐火材３と圧縮性（変形可能巾、変形復帰性）を確保する板バネ２もしくは弾性体１２と層間変形・水密性を確保する弾性シーリング材５との組合せとすることで、構成する材料が補完して無駄の無い耐震スリット材とすることができる効果がある。
【００１４】
板バネ２の先端部１は先端部１がスリット部４の幅の中央に位置して弾性シーリング材５の充填部を形成し、先端部１の幅を変えることで、弾性シーリング材５の最適深さを確保して幅の狭いシーリングを設けることができる効果がある。先端部１に取り付ける条片１９も同様の効果がある。
【００１５】
バネ９は板バネ２と相俟って、後施工耐震スリット材６がスリット部４を常時付勢し、後施工耐震スリット材６の圧縮性（変形可能巾、変形復帰性）を恒久的に維持する効果がある。
【００１６】
耐火材３はロックウールやグラスウールやセラミックスファイバーなどの繊維を集束または積層して弾性を持たせて帯状体とし、板バネ２に取り付けるか芯材１１もしくはアタッメント１７に取り付けるので、圧縮性（変形可能巾、変形復帰性）を確保し、地震時の非構造壁による構造骨組みの剪断破壊や脆性破壊を防止する効果がある。
【００１７】
キャップ８は、後施工耐震スリット材６と建具などとの納まりで、弾性シーリング材５の充填が不能になる部位のバックアップ材として機能する効果がある。
【００１８】
芯材１１は、スリット部４の幅の中央に位置して弾性シーリング材５の充填部を形成し、芯材１１の前端部１４の幅を変えることで、弾性シーリング材５の最適深さを確保して幅の狭いシーリングを設けるもので、これは板バネ２の先端部１と同様の効果である。芯材１１の前端部１４は、弾性シーリング材５の充填する深さをその長さとし、後端部１３は耐火材３を固定する長さとするが、後端部１３と前端部１４を同形としてもよく、この場合製品の管理が容易になる効果がある。
【００１９】
弾性体１２が発泡体の場合、弾性体１２は耐震スリット材に求められ圧縮性（変形可能巾、変形復帰性）を確保し、かつ弾性シーリング材５のバックアップ材の機能をする効果がある。
【００２０】
突条１５は、アタッチメント１７を嵌合して固定するためのもので、このアタッチメント１７は幅の広いスリット部に対応して、耐火材３と弾性シーリング５の幅を調整することが出来る効果がある。また弾性体１２がスプリングの場合、突条１５はスプリングの支持部となり圧縮性（変形可能巾、変形復帰性）を恒久的に維持する効果があり、かつバックアップ材７の支持部となり、層間変形・水密性を確保する効果がある。
【００２１】
ネジ孔１６は、アタッチメント１７の端部の小口に蓋１８をネジで取り付けることで、後施工耐震スリット材６と建具などとの納まりで、弾性シーリング材５のバックアップ材として機能するのはキャップ８と同様の効果がある。また、ネジ孔１６は芯材１１と芯材１１と接続する場合のダボ穴として使用し、芯材１１のズレを防ぐ効果がある。
【発明を実施するための最良の形態】
【００２２】
目地型枠でスリット部を設け、このスリット部にスリット材を挿入して耐震スリットとすることで、コンクリートに打ち込む際に必要な補強材や固定金物を必要としなく、耐震スリット材を耐火性を確保する耐火材３と圧縮性（変形可能巾、変形復帰性）を確保する板バネ２もしくは弾性体１２と層間変形・水密性を確保する弾性シーリング材５との組合せとする。
【００２３】
目地型枠は、ペーパコアの両面に板紙などの表面板が接着されており、ペーパコア及び表面板には所定時間中防水性を持続する防水剤が塗布されており、周側面には粘着ビニールテープ等の取り外し部材が貼着されたものである。この目地型枠を所定のスリット部に取り付けて型枠を組み立て、コンクリート打設後、コンクリートの養生期間をおいて目地型枠を取り外す。目地型枠の取り外しに際しては、ペーパコア及び表面板はコンクリートの余剰水を吸水して、ある程度軟弱になっており、容易に取り外しが出来る。
【００２４】
後施工耐震スリット材６は幅が施工部位の壁の長さで決まり、この幅を一辺の長さとし、壁の中心に配設されるアンカー筋に後施工耐震スリット材６が当たらないように、壁の厚さの半分より小さい大きさとする。請求項１の後施工耐震スリット材６は耐火性を確保する耐火材３と圧縮性（変形可能巾、変形復帰性）を確保する板バネ２と層間変形・水密性を確保する弾性シーリング材５との組合せた構成であり、請求項２の後施工耐震スリット材６は耐火性を確保する耐火材３と圧縮性（変形可能巾、変形復帰性）を確保する弾性体１２と層間変形・水密性を確保する弾性シーリング材５との組合せた構成である。
【００２５】
板バネ２は耐候性があり、断面略凸形にした場合に圧縮性（変形可能巾、変形復帰性）を有する厚さ０．３ｍｍ〜１．２ｍｍのアルミニウム、ステンレス、スチールの合金、アルミニウムの合金、などの薄板や表面処理鋼板が適している。このものを断面略凸形の先端部１を支点とする板バネ２とする。また、硬質塩ビなどの合成樹脂を押し出し成型したものも使用できる。
【００２６】
板バネ２の形状は断面略凸形で、スリット部４に常時付勢するように圧縮変形した状態でスリット部４に押し込んで取り付けるので、スリット部４に挿入する前は、所定のスリット部の幅に変形幅を加えた幅とする壁の長さの長尺物である。板バネ２はスリット部４の相対する面の少なくとも一方の面に板バネ２の一方の面が接し、反対側のスリット部４の面に、板バネ２の折り曲げて出来る稜線が少なくとも一ヶ所がスリット部４を押圧する形状とする。これは、先端部１がスリット部４の幅の中央に位置するようにするためであって、この形状に限らず板バネ２の一方がスリット部４に二つの稜線に接し、反対側のスリット部４に板バネ２の稜線の一つが接してもよく、この接する面と稜線の数を限定するものでは無く、リブを形成し複数の接点を設けても良い。
【００２７】
バネ９は板バネ２と相俟って、後施工耐震スリット材６の圧縮性（変形可能巾、変形復帰性）を恒久的に維持し、スリット部４を常時付勢する。図７の斜視図に示す半月形のバネ９を３００ｍｍ〜６００ｍｍ間隔に板バネ２の間に入れて取り付ける。バネ９の形状はこの半月形に限定される物でなくコイルバネ、板バネ及びそれらの組合せも使用可能である。
【００２８】
耐火材３は耐震スリット材に求められる要求性能の耐火性を確保するためのもので、ロックウールやグラスウールやセラミックスファイバーなどの耐火性を有する繊維を集束または積層して弾性を持たせた帯状体が適している。耐火材３の取り付けは接着材で取り付けるが、ビス止め、クリップ止めの何れでも良い。
【００２９】
耐震スリットの幅は１／１００の層間変形角に追従可能な寸法を確保するので、壁の長さで決まり通常２５ｍｍ〜５０ｍｍでこの幅がシーリングの幅となる。従来、シーリングの幅の変動に伴う接着部への応力集中を防止するため、シーリングの幅（Ｗ）とシーリングの深さ（Ｄ）の関係をＤ／Ｗ＝１／１〜１／２としている。深さ（Ｄ）を大きくすると止水性能が高くなるが幅（Ｗ）も大きくしなければならない。シーリングの幅が２５ｍｍを超えると見栄えが悪いだけでなく、施工管理も品質管理も難しくなる。
【００３０】
先端部１は先端部１がスリット部４の幅の中央に位置して弾性シーリング材５の充填部を形成し、スリット部４の幅に対応して先端部１の幅を変えてシーリングの最適深さを確保して幅の狭いシーリングを設けるものである。後施工耐震スリット材６の取り付けは板バネ２に耐火材３を取り付けた状態でスリット部４に挿入し、先端部１の前面を壁面１８と同面となるように取り付ける。図４、図５、図６はスリット部の幅に対応して先端部１の前面の幅を大きくして幅の狭いシーリングを設ける場合である。板バネ２の先端部１に取り付ける条片１９も先端部１と同様の作用をする。
【００３１】
条片１９は図８、図９の一部切欠き斜視図に示すように、断面矩形の壁の長さの長尺物で、中実でも中空でも良く、アルミニウムの押し出し成型したものが使用されるが、アルミニウムの合金やステンレスの他、耐候性のある硬質塩ビなどの合成樹脂も使用できる。条片１９の板バネ２への取り付けは、板バネ２の側からビス固定をするが、接着固定でも良い。又図９に示すように、板バネ２に設けた凹部に嵌合固定しても良い。
【００３２】
弾性シーリング材５は耐震スリット材に求められる要求性能の層間変形・水密性を確保するためのもので、請求項１の場合は先端部１の前面若しくは条片１９の前面が壁面１０と同面になるように取り付けて、先端部１若しくは条片１９とスリット部４の間にできる凹所に充填する。板バネ２とスリット部４の納まりにより、隙間が生じる場合はバックアップ材７を取り付けてから充填する。請求項２の場合は芯材１１に耐火材３と弾性体１２を取り付けてスリット部６に挿入した後に、スリット部４と前端部１４の間にできる凹所に充填する。弾性体１２が発泡体の場合は弾性体１２が弾性シーリング材５のバックアップ材の機能をする。弾性体１２がスプリングの場合は、バックアップ材７を取り付けてから充填する。材料の具体例として、ＪＩＳＡ５７５８に規定規定される主成分に規定されるシリコン系、変性シリコン系、ポリサルファイド系、変性ポリサルファイド、アクリルウレタン系などが使用可能で、板バネ２や弾性体１２の接合面での化学的に安定するものが好ましい。
【００３３】
キャップ８は板バネ２の端部の小口に取り付け、後施工耐震スリット材６と建具などの納まりで隙間が生じ、弾性シーリング材５の充填が不能になる部位に取り付け、弾性シーリング材５のバックアップ材の機能をするもので、合成樹脂製の成型したものである。
【００３４】
芯材１１は両側面に弾性体１２を取り付ける中間部と後端部１３と前端部１４よりなる断面Ｉ字状の壁の長さの長尺物で、中間部は取り付ける弾性体１２の長さとし、後端部１３は帯状体の耐火材３を断面Ｕ字状に固定するための支持部である。前端部１４はスリット部４の幅の中央に位置して弾性シーリング材５の充填部を形成し、スリット部４の幅に応じて前端部１４の幅を変えてシーリングの最適深さを確保して幅の狭いシーリングを設けるもので、請求項１の先端部１と同様の作用をする。後施工耐震スリット材６の取り付けは芯材１１の中間部の両側面に其々弾性体１２を取り付け、後端部１３に耐火材３を取り付けた状態でスリット部４に挿入し、前端部１４の前面が壁面１０と同面となるように取り付け、前端部１４とスリット部４との間の凹部に弾性シーリング材５を充填する。弾性体１２が発泡体の場合、前端部１４の長さは弾性シーリング材５の充填する深さとし、弾性体１２が弾性シーリング材５のバックアップ材として機能する。弾性体１２がスプリングの場合、前端部１４の長さは弾性シーリング材５の充填する深さとバックアップ材７の厚さを加えた長さとする。
【００３５】
芯材１１の中間部と前端部１４及び後端部１３との間の側面に突条１５を設ける。この突条１５は、スリット部４の幅が大きい場合にアタッチメント１７を嵌合して固定するためのもので、弾性シーリング材５の幅を小さくする為と耐火材３の厚さを調整する為に対応するためである。図１３、図１４、図１５は幅の広いスリット部に対応してアタッチメント１７を取り付けてシーリング材５の幅を小さくする場合である。またこの突条１５は、
弾性体１２がスプリングの場合、スプリングの支持部となり、かつバックアップ材７の支持部となる。
【００３６】
前端部１４及び後端部１３にネジ孔１６を設けるのは、アタッチメント１７の端部の小口に蓋１８を取り付けることで、キャップ８と同様に、後施工耐震スリット材６と建具などとの納まりで、隙間が生じ、弾性シーリング材５の充填が不能にならないように、弾性シーリング材５のバックアップ材として機能する。また、ネジ孔１６は芯材１１を接続する場合にネジ孔１６にダボを取り付けて芯材１１のズレを防ぐのに使用する。芯材１１としては、アルミニウムの押し出し成型したものが使用されるが、アルミニウムの合金やステンレスの他、耐候性のある硬質塩ビなどの合成樹脂も使用できる。アタッチメント１７は断面コ字形で芯材１１の突条１５に嵌合する条溝を有する壁の長さの長尺物で、芯材１１と同様のアルミニウムの押し出し成型したものが使用されるが、アルミニウムの合金やステンレスの他、耐候性のある硬質塩ビなどの合成樹脂も使用できる。蓋１８はアタッチメント１７の端部の小口を塞ぐ矩形の薄い小片で、芯材１１と同材が使用される。
【００３７】
弾性体１２が発泡体の場合は断面矩形で、芯材１１の中間部の両側面に取り付けて、スリット部４に常時付勢するように圧縮変形した状態でスリット部４に押し込んで取り付けるので、スリット部４に挿入する前は、所定のスリット部の幅に変形幅を加えた幅とする壁の長さの長尺物であるが、長さを小さくしてブロック状として、芯材１１の両側面に３００ｍｍ〜６００ｍｍ間隔で取り付けても良い。弾性体１２としては、発泡ポリスチレン、発泡ポリエチレン、発泡ポリプロピレン、発泡ポリウレタンなどで、芯材１１には接着固定する。
【００３８】
弾性体１２がスプリングの場合、スプリングの形状は断面Ｕ字状で、芯材１１の中間部の両側面に取り付けて、スリット部４に常時付勢するように圧縮変形した状態でスリット部４に押し込んで取り付けるので、スリット部４に挿入する前は、所定のスリット部の幅に変形幅を加えた幅をスプリングの幅とする。長さは壁の長さの長尺物でも、また長さを小さくしたものを３００ｍｍ〜６００ｍｍ間隔で取り付けても良く、このものを突条１５と突条１５の間に差し込んで取り付ける。スリット部４の幅が広い場合の、アタッチメント１７を取り付けた場合は、アタッチメント１７とアタッチメント１７の間に差し込んで取り付ける。スプリングの形状は断面Ｕ字状に限定するものでなく、コイルバネや板バネ及びその組合せも使用可能ある。
【実施例１】
【００３９】
請求項１の実施例を図１、図２、図３、図７の図面で説明する。図１は実施例１の後施工耐震スリット材６の実施方法を示した一部切欠き斜視図で、図２は同上後施工耐震スリット材６の分解断面図で、図３は同上後施工耐震スリット材６の取り付け状態を示す断面図で、図７は実施例１の後施工耐震スリット材６の構成部材の斜視図である。壁の厚さが１７０ｍｍでアンカー筋がＤ１０の間隔が４００ｍｍでスリット部４の幅が２５ｍｍである。目地型枠の取り付けは、柱の型枠が組み立てられた後、厚さ２５ｍｍの目地型枠を柱の型枠に添えて取り付け、該目地型枠にＤ１０のアンカー筋を４００ｍｍ間隔で壁厚の中央の位置に差し込んで取り付ける。次いで目地型枠を挟んで壁型枠を組み立て、壁鉄筋を組み立て、定法に従ってコンクリートを打設し、コンクリートの養生期間をおいて、型枠を撤去し、目地型枠を取り外す。目地型枠の取り外した後に幅２５ｍｍのスリット部４が設けられる。
【００４０】
目地型枠の取り外した後のスリット部４に、ステンレスの薄板を断面略凸形に折り曲げて先端部１を支点とする板バネ２とし、該板バネ２の両自由端の其々に帯状体の耐火材３の其々の側縁を固定してスリット部４に挿入する。スリット部４に挿入する前の後施工耐震スリット材６の幅は３５ｍｍで、これを幅が２５ｍｍにまで圧縮変形し、先端部１の前面が壁面１０と同面となるようにスリット部４に挿入して取り付ける。次いで先端部１とスリット部４の間に弾性シーリング材５を充填して施工が完了する。後施工耐震スリット材６の取り付け寸法は壁面１０から７０ｍｍで、弾性シーリング材５は先端部１の前面の幅５ｍｍを挟んで両側に幅１０ｍｍで深さが１５ｍｍとなる。この場合の耐火材３は厚さ１０ｍｍのロックウールの帯状体で、板バネ２はステンレスの薄板で厚さが０．４ｍｍのもので、弾性シーリング材５は変性シリコンである。
【実施例２】
【００４１】
請求項２の実施例を図１０、図１１、図１２の図面で説明する。図１０は実施例２の後施工耐震スリット材６の実施方法を示した一部切欠き斜視図で、図１１は同上後施工耐震スリット材６の分解断面図で、図１２は同上後施工耐震スリット材６の取り付け状態を示す断面図である。壁の仕様とスリット部４の幅は前記と同様で、壁の厚さが１７０ｍｍでアンカー筋がＤ１０の間隔が４００ｍｍでスリット部６の幅が２５ｍｍであり、目地型枠の取り付け、取り外しも前記同様である。
【００４２】
目地型枠の取り外した後のスリット部４に、アルミニウムを押し出し成型した断面Ｉ字状の芯材１１の中間部の両側面に其々発泡合成樹脂製の弾性体１２を接着固定し、後端部１３耐火材３を断面Ｕ字状にして接着固定し、スリット部４に挿入して芯材１１の前端部１４の前面を壁面１０と同面に取り付け、該芯材１１とスリット部４の間に弾性シーリング５を充填して施工が完了する。芯材１１に耐火材３と弾性体１２を取り付けた状態の後施工耐震スリット材６の幅は３５ｍｍで、これを幅が２５ｍｍにまで圧縮変形し、スリット部４に挿入する。後施工耐震スリット材６の取り付け寸法は、壁面１８から７０ｍｍである。この場合の芯材１１はアルミニウムを押し出し成型したもので、耐火材３は厚さ１５ｍｍのセラミックスファイバーの帯状体で、弾性体１２は発泡ポリスチレンで、弾性シーリング材５は変性シリコンである。
【実施例３】
【００４３】
請求項２の別の実施例を図１６、図１７、図１８の図面で説明する。図１６は後施工耐震スリット材の実施方法を示した一部切欠き斜視図で、図１７は同上後施工耐震スリット材の分解断面図で、図１８は同上後施工耐震スリット材の取り付け状態を示す断面図である。壁の仕様とスリット部４の幅は前記と同様で、壁の厚さが１７０ｍｍでアンカー筋がＤ１０の間隔が４００ｍｍでスリット部６の幅が２５ｍｍであり、目地型枠の取り付け、取り外しも前記同様である。
【００４４】
この場合の弾性体１２は断面Ｕ字状のスプリングで、目地型枠の取り外した後のスリット部４に、アルミニウムを押し出し成型した断面Ｉ字状の芯材１１の両側面の突条１５と突条１５との間に其々幅２０ｍｍのスプリングを４５０ｍｍ間隔に差し込んで取り付け、後端部１３に耐火材３を断面Ｕ字状にして接着固定し、スリット部４に挿入して芯材１１の前端部１４の前面を壁面１０と同面に取り付け、該芯材１１とスリット部４の間に弾性シーリング５を充填して施工が完了する。芯材１１に耐火材３と弾性体１２を取り付けた状態の後施工耐震スリット材６の幅は３５ｍｍで、これを幅が２５ｍｍにまで圧縮変形し、スリット部４に挿入する。後施工耐震スリット材６の取り付け寸法は、壁面１８から７０ｍｍである。この場合の芯材１１はアルミニウムを押し出し成型したもので、耐火材３は厚さ１５ｍｍのセラミックスファイバーの帯状体で、弾性体１２は幅２０ｍｍの断面Ｕ字状のスプリングで、弾性シーリング材５は変性シリコンである。  
【産業上の利用可能性】
【００４５】
既存建築物の耐震補強工事で耐震スリットを設ける場合、コンクリートカッターで設けた壁のスリット部に適用できる。
【図面の簡単な説明】
【００４６】
【図１】実施例１の後施工耐震スリット材の実施方法を示した一部切欠き斜視図である。
【図２】同上後施工耐震スリット材の分解断面図である。
【図３】同上後施工耐震スリット材の取り付け状態を示す断面図である。
【図４】別の後施工耐震スリット材の実施方法を示した一部切欠き斜視図である。
【図５】同上後施工耐震スリット材の分解断面図である。
【図６】同上後施工耐震スリット材の取り付け状態を示す断面図である。
【図７】実施例１の後施工耐震スリット材の構成部材の斜視図である。
【図８】別の後施工耐震スリット材の実施方法を示した一部切欠き斜視図である。
【図９】別の後施工耐震スリット材の実施方法を示した一部切欠き斜視図である。
【図１０】実施例２の後施工耐震スリット材の実施方法を示した一部切欠き斜視図である。
【図１１】同上後施工耐震スリット材の分解断面図である。
【図１２】同上後施工耐震スリット材の取り付け状態を示す断面図である。
【図１３】別の後施工耐震スリット材の実施方法を示した一部切欠き斜視図である。
【図１４】同上後施工耐震スリット材の分解断面図である。
【図１５】同上後施工耐震スリット材の取り付け状態を示す断面図である。
【図１６】別の後施工耐震スリット材の実施方法を示した一部切欠き斜視図である。
【図１７】同上後施工耐震スリット材の分解断面図である。
【図１８】同上後施工耐震スリット材の取り付け状態を示す断面図である。
【符号の説明】
【００４７】
１    先端部
２    板バネ
３    耐火材
４    スリット部
５    弾性シーリング材
６    後施工耐震スリット材
７    バックアップ材
８    キャップ
９    バネ
１０  壁面
１１  芯材
１２  弾性体
１３  後端部
１４  前端部
１５  突条
１６  ネジ孔
１７  アタッチメント
１８  蓋
１９  条片
【図１】
2005307469.tif 000003
【図２】
2005307469.tif 000004
【図３】
2005307469.tif 000005
【図４】
2005307469.tif 000006
【図５】
2005307469.tif 000007
【図６】
2005307469.tif 000008
【図７】
2005307469.tif 000009
【図８】
2005307469.tif 000010
【図９】
2005307469.tif 000011
【図１０】
2005307469.tif 000012
【図１１】
2005307469.tif 000013
【図１２】
2005307469.tif 000014
【図１３】
2005307469.tif 000015
【図１４】
2005307469.tif 000016
【図１５】
2005307469.tif 000017
【図１６】
2005307469.tif 000018
【図１７】
2005307469.tif 000019
【図１８】
2005307469.tif 000020